(57)【要約】      （修正有）【課題】使用中に圧迫感を受け難く、使用者の姿勢に関わらず使用者の身体を雨又は日差しから確実に保護することができる機能性及び実用性に優れた傘装着具及び装着具付き傘を提供する。【解決手段】装着具付き傘１０は、使用者１１の上半身に装着される装着部１８と、傘１２の中棒１５及び手元１６を保持する傘保持部１４とを有し、傘保持部が、使用者の背中側で使用者の身体の左右方向と平行に配置された水平軸１９を介して装着部に回動可能に連結された傘装着具１３を用いることにより、使用者の背中側で傘を保持する。【選択図】図１
0003235171.tif 000002
【実用新案登録請求の範囲】
【請求項１】
使用者の上半身に装着されて該使用者の背中側で傘を保持する傘装着具であって、
前記使用者の上半身に装着される装着部と、前記傘の中棒及び／又は手元を保持する傘保持部とを有し、該傘保持部は、前記使用者の背中側で該使用者の身体の左右方向と平行に配置された水平軸を介して前記装着部に回動可能に連結されていることを特徴とする傘装着具。
【請求項２】
請求項１記載の傘装着具において、前記装着部は、前記使用者の背中に当接する当接部材と、該当接部材の下端部に連結されて前記使用者の胴体に固定される胴ベルトと、一端部が前記当接部材の上端部に連結され他端部が前記使用者の肩を通って該使用者の腹側で前記胴ベルトに連結される肩ベルトとを有し、前記傘保持部は、棒状に形成され、下端側が前記水平軸を介して前記当接部材の下端側に支持され、上端側が前記当接部材から離間していることを特徴とする傘装着具。
【請求項３】
請求項２記載の傘装着具において、前記傘保持部の上端部と前記装着部を連結して、前記当接部材と前記傘保持部とのなす角度を調整する連結部材を備えていることを特徴とする傘装着具。
【請求項４】
請求項３記載の傘装着具において、前記連結部材は、一端部が前記傘保持部の上端部に連結され、他端部が前記使用者の肩を通って該使用者の腹側で前記胴ベルト又は前記肩ベルトに連結されていることを特徴とする傘装着具。
【請求項５】
請求項１〜４のいずれか１記載の傘装着具において、前記装着部又は前記傘保持部に背面側送風機が取り付けられていることを特徴とする傘装着具。
【請求項６】
請求項１〜５のいずれか１記載の傘装着具の傘保持部に、傘の中棒及び／又は手元が保持されたことを特徴とする装着具付き傘。
【請求項７】
請求項６記載の装着具付き傘において、前記傘の中棒、親骨又は受骨のいずれか１以上に頭部側送風機が取り付けられていることを特徴とする装着具付き傘。
【考案の詳細な説明】
【技術分野】
【０００１】
本考案は、傘を手で持つことなく、雨や日差し等を確実に遮りながら、楽な姿勢で両手を自由に使って作業を行うことができる傘装着具及び装着具付き傘に関する。
【背景技術】
【０００２】
従来、雨が降る日や日差しが強い日は、屋外では傘（雨傘、日傘又は晴雨兼用傘）をさすことが多く、傘の手元（ハンドル又は柄ともいう）を持つために片手又は両手が塞がれ、手で荷物を持つことや様々な作業を行うことが困難になるという問題があった。そこで、傘をさしていても両手が自由に使えるようにするために、例えば特許文献１〜特許文献３のように、使用者の上半身に装着され傘の手元又は中棒を保持する器具が提案されている。
【先行技術文献】
【特許文献】
【０００３】
【特許文献１】登録実用新案第３２０７７８６号公報
【特許文献２】特開２０００−４１８２４号公報
【特許文献３】特許第４０４８４２１号公報
【考案の概要】
【考案が解決しようとする課題】
【０００４】
しかし、特許文献１及び特許文献２では、傘の手元又は中棒を保持する傘固定手段（傘固定部）が、使用者の背中に当接した状態で、ベルトによって使用者の胴体及び肩に固定されている。このとき、傘の手元又は中棒は、傘固定手段の表面（使用者の背中に当接する面と反対の面）に沿って保持され、傘固定手段を挟んで使用者の背中に密着するため、使用者の姿勢が窮屈になり、使用者に圧迫感を与え易く、特に使用者が前傾姿勢になった場合には、傘の重さが背中に加わり、圧迫感が増加するという課題がある。そして、傘の中棒が、常に使用者の上半身（背中）と平行に保持されることになるため、使用者が前傾姿勢になると、傘も一緒に前方に傾き、使用者の身体（主に上半身の背中側及び下半身）を傘で覆うことができなくなるという課題がある。
また、特許文献３では、傘の主柱（中棒）を保持する固定具を有する板状の本体が、使用者の身体の前面（肩口から腹部）に当接されてバンドで使用者の胴体及び肩に固定されている。このとき、傘の主柱は、板状の本体の表面（使用者の胸部に当接する面と反対の面）に沿って保持され、本体を挟んで使用者の胸部に密着するため、傘の主柱が顔の近くにあって常に視界に入り、圧迫感を受け易いという課題がある。そして、傘の主柱が、常に使用者の上半身と平行に保持されることになるため、特許文献１と同様に、使用者が前傾姿勢になると、傘も一緒に前方に傾き、使用者の身体（主に上半身の背中側及び下半身）を傘で覆うことができなくなるという課題がある。さらに、傘の主柱が、使用者の身体の前面に保持されるため、作業をする際に傘の主柱が邪魔になることがあり、作業性に欠けるという課題もある。
本考案は、かかる事情に鑑みてなされたもので、使用中に圧迫感を受け難く、使用者の姿勢に関わらず使用者の身体を雨又は日差しから確実に保護することができる機能性及び実用性に優れた傘装着具及び装着具付き傘を提供することを目的とする。
【課題を解決するための手段】
【０００５】
前記目的に沿う第１の考案に係る傘装着具は、使用者の上半身に装着されて該使用者の背中側で傘を保持する傘装着具であって、
前記使用者の上半身に装着される装着部と、前記傘の中棒及び／又は手元を保持する傘保持部とを有し、該傘保持部は、前記使用者の背中側で該使用者の身体の左右方向と平行に配置された水平軸を介して前記装着部に回動可能に連結されている。
【０００６】
第１の考案に係る傘装着具において、前記装着部は、前記使用者の背中に当接する当接部材と、該当接部材の下端部に連結されて前記使用者の胴体に固定される胴ベルトと、一端部が前記当接部材の上端部に連結され他端部が前記使用者の肩を通って該使用者の腹側で前記胴ベルトに連結される肩ベルトとを有し、前記傘保持部は、棒状に形成され、下端側が前記水平軸を介して前記当接部材の下端側に支持され、上端側が前記当接部材から離間していることが好ましい。
【０００７】
第１の考案に係る傘装着具において、前記傘保持部の上端部と前記装着部を連結して、前記当接部材と前記傘保持部とのなす角度を調整する連結部材を備えることができる。
【０００８】
第１の考案に係る傘装着具において、前記連結部材は、一端部が前記傘保持部の上端部に連結され、他端部が前記使用者の肩を通って該使用者の腹側で前記胴ベルト又は前記肩ベルトに連結されていてもよい。
【０００９】
第１の考案に係る傘装着具において、前記装着部又は前記傘保持部に背面側送風機が取り付けられてもよい。
【００１０】
前記目的に沿う第２の考案に係る装着具付き傘は、第１の考案に係る傘装着具の傘保持部に、傘の中棒及び／又は手元が保持されている。
【００１１】
第２の考案に係る装着具付き傘において、前記傘の中棒、親骨又は受骨のいずれか１以上に頭部側送風機が取り付けられてもよい。
【考案の効果】
【００１２】
第１の考案に係る傘装着具によれば、必要に応じて傘保持部を回動させて傘を最適な角度で保持し、使用者の姿勢に関わらず使用者の身体を雨又は日差しから確実に保護することができ、使用者は両手を自由に使って様々な作業を行うことができる。
【００１３】
第１の考案に係る傘装着具において、装着部が、使用者の背中に当接する当接部材と、当接部材の下端部に連結されて使用者の胴体に固定される胴ベルトと、一端部が当接部材の上端部に連結され他端部が使用者の肩を通って使用者の腹側で胴ベルトに連結される肩ベルトとを有し、傘保持部が、棒状に形成され、下端側が水平軸を介して当接部材の下端側に支持され、上端側が当接部材から離間している場合、装着部の着脱作業性及び固定安定性に優れると共に、使用者に加わる負荷（荷重）が軽減されて、使用者が圧迫感を受け難くなる。
【００１４】
第１の考案に係る傘装着具において、傘保持部の上端部と装着部を連結して、当接部材と傘保持部とのなす角度を調整する連結部材を備える場合、連結部材の長さを調整したり、連結部材の連結位置を変更したりするだけで、当接部材（使用者の背中）と傘保持部とのなす角度を簡単に調整して一定の範囲内に保つことができ、傘保持部が後方に倒れることを防止できる。
【００１５】
第１の考案に係る傘装着具において、連結部材が、一端部が傘保持部の上端部に連結され、他端部が使用者の肩を通って使用者の腹側で胴ベルト又は肩ベルトに連結されている場合、使用者は作業途中で傘装着具を身体から取り外すことなく、当接部材と傘保持部とのなす角度を簡単に調整することができ、操作性に優れる。
【００１６】
第１の考案に係る傘装着具において、装着部又は傘保持部に背面側送風機が取り付けられている場合、作業中に使用者の周囲の空気を撹拌（循環）させたり、使用者の身体に空気を送風したりして、使用者が夏場でも快適に作業を行うことが可能な環境を提供することができる。
【００１７】
前記目的に沿う第２の考案に係る装着具付き傘によれば、使用者は手を使うことなく傘を使用して雨や日差しから身体を保護しながら、両手を自由に使って様々な作業を行うことができる。
【００１８】
第２の考案に係る装着具付き傘において、傘の中棒、親骨又は受骨のいずれか１以上に頭部側送風機が取り付けられている場合、作業中に使用者の身体を効果的に冷やすことができ、使用者は夏場でも快適かつ効率的に作業を行うことができ、熱中症を防止することができる。
【図面の簡単な説明】
【００１９】
【図１】本考案の一実施の形態に係る傘装着具を備えた装着具付き傘の使用状態を示す側面図である。
【図２】同傘装着具を備えた装着具付き傘の使用状態を示す正面図である。
【図３】図１のＡ−Ａ線矢視断面図である。
【考案を実施するための形態】
【００２０】
続いて、添付した図面を参照しつつ、本考案を具体化した実施の形態につき説明し、本考案の理解に供する。
図１〜図３に示す本考案の一実施の形態に係る傘装着具１３を備えた装着具付き傘１０は、図１に示すように、使用者１１の上半身に装着されて使用者１１の背中側で傘１２を保持する傘装着具１３の傘保持部１４に、傘１２の中棒１５及び手元１６が保持されたものである。これにより、使用者１１は、手で傘１２を持つことなく、背中側に保持された傘１２で身体を雨又は日差しから確実に保護しながら、両手を自由に使って様々な作業を行うことができる。なお、傘１２として、天候や季節等に応じて、雨傘又は日傘を選択して取付けてもよいし、天候や季節等に左右されないように、晴雨兼用傘を取り付けてもよい。
【００２１】
傘装着具１３は、図１〜図３に示すように、使用者１１の上半身に装着される装着部１８と、図１に示すように、傘１２の中棒１５及び手元１６を保持する傘保持部１４とを有している。そして、傘保持部１４は、図１に示すように、使用者１１の背中側で使用者１１の身体の左右方向と平行に配置された水平軸１９を介して装着部１８に前後方向（矢印ａ参照）に回動可能（角度調整可能）に連結されている。
装着部１８は、図３に示すように、使用者１１の背中に当接するＩ型の当接部材２０と、図１〜図３に示すように、当接部材２０の下端部に連結されて使用者１１の胴体に固定されるバックル式の胴ベルト２１と、一端部が当接部材２０の上端部に連結され他端部が使用者１１の肩を通って使用者１１の腹側で胴ベルト２１に連結される肩ベルト２２を有している。肩ベルト２２の全長は、使用者１１の体格に応じて、長さ調整部２３で調整される。なお、当接部材は、一部分のみが使用者１１の背中に当接していても、全面が使用者１１の背中に当接していてもよく、その形状は、本実施の形態に限定されず、適宜、選択される。また、胴ベルトは、使用者１１の胴体（腰回り）に巻き付けられて着脱可能に固定されるものであればよく、固定手段はバックル式に限定されない。なお、本実施の形態では、図２に示すように、肩ベルト２２を正面視してＹ字型に形成したが、肩ベルトは使用者１１の肩に掛けて当接部材２０を背負うようにして固定できるものであればよく、その形状及び胴ベルト２１との連結位置等は適宜、選択される。例えば、肩ベルトをサスペンダー型に形成して、他端部を胴ベルト２１の腹側の左右２箇所に連結してもよい。
【００２２】
傘保持部１４は、図１に示すように、棒状に形成され、下端側が水平軸１９を介して当接部材２０の下端側に支持され、上端側が当接部材２０から離間している。そして、傘装着具１３は、図１、図２に示すように、傘保持部１４の上端部と装着部１８を連結して、当接部材２０と傘保持部１４とのなす角度を調整する連結部材２５を備えている。本実施の形態では、図２に示すように、連結部材２５の一端部が傘保持部１４の上端部に連結され、他端部が使用者１１の肩を通って使用者１１の腹側で胴ベルト２１に連結されており、連結部材２５の途中位置に設けた長さ調整部２６で連結部材２５の全長を調整することにより、傘保持部１４の上端側から当接部材２０（使用者１１の背中）までの間隔を変化させて（図１の矢印ｂ参照）、当接部材２０と傘保持部１４とのなす角度を調整（図１の矢印ａ参照）できるようにした。傘保持部１４が当接部材２０（使用者１１の背中）から離間していることにより、傘１２の重さが使用者１１の背中に直接、加わることがなく、傘保持部１４が当接部材２０（使用者１１の背中）に接触することを防ぎ、使用者１１が圧迫感を受け難く、作業中に使用者１１の姿勢が窮屈になることを防止できる。また、水平軸１９が回転しないように固定されることにより、作業中に使用者１１の姿勢が変化しても、傘１２が前方又は後方に倒れる（移動する）ことがなく、使用者１１に衝撃を与えることがない。なお、傘保持部１４の上端部と装着部１８が連結部材２５で連結されているので、水平軸１９の固定が緩んでも、傘保持部１４が後方に倒れることがなく、安全性に優れる。
【００２３】
連結部材２５の長さ調整部２６が使用者１１の腹側に設けられていることにより、使用者１１は、作業中でも当接部材２０と傘保持部１４とのなす角度を簡単に調整することができるが、長さ調整部の配置は適宜、選択され、連結部材の他端部は肩ベルト２２に連結されてもよい。また、連結部材２５の長さを調整して当接部材２０と傘保持部１４とのなす角度を調整する代わりに、連結部材の他端部の連結位置を変更することにより、当接部材２０と傘保持部１４とのなす角度を調整することもできる。このとき、連結部材の他端部の連結位置は胴ベルト２１に沿って移動させてもよいし、肩ベルト２２に沿って移動させてもよい。なお、本実施の形態では、図２に示すように、連結部材２５を正面視して（連結部材２５を装着した作業者１１を正面から見て）Ｙ字型に形成したが、連結部材は傘保持部１４の上端部と装着部１８を連結して、当接部材２０と傘保持部１４とのなす角度を調整できるものであればよく、その形状及び配置は適宜、選択される。例えば、連結部材の他端部は当接部材２０の上端部に連結されてもよい。
また、本実施の形態では、図１、図３に示すように、当接部材２０の下端側に取り付けられる平面視してコ字型の支持片２７ａと、傘保持部１４の下端側に支持片２７ａと向かい合うように取り付けられる平面視してコ字型の回動片２７ｂで構成された回動連結具２７を用いることにより、傘保持部１４が水平軸１９を介して装着部１８（当接部材２０）に回動可能に連結され、所定の回動角度で固定される構造としたが、回動連結具の構造はこれに限定されることなく、適宜、選択される。回動連結具の材質には、耐久性に優れる金属が好適に用いられるが合成樹脂が用いられてもよい。
【００２４】
当接部材の材質は、適宜、選択されるが、金属、合成樹脂又は木等の硬質性の材質が用いられる場合は、使用者１１の背中に当接する面に、合成ゴム又は布等で形成された緩衝材を貼り付けて、使用者１１が痛みを感じないようにすることが好ましい。また、布又は合成ゴム等の軟質性の材質が用いられる場合は、回動連結具（支持片）が取り付けられる場所を金属、合成樹脂又は木等の硬質性の材質で形成された補強材で補強して、回動連結具（支持片）を螺子止め等により、強固に固定することが好ましい。
胴ベルト、肩ベルト及び連結部材の材質には、一般的なベルト又はバンド等と同様に布又は合成皮革等が好適に用いられるが、これらに限定されない。
傘保持部の材質には、金属又は合成樹脂が好適に用いられるが、木が用いられてもよい。なお、傘保持部の断面形状は、適宜、選択され、円形状でも多角形状でもよい。また、傘保持部は、中実の棒状に限らず、中空状（パイプ状）に形成されてもよい。
また、本実施の形態では、傘保持部１４は、上下２箇所に設けられた保持手段２８で傘１２の中棒１５及び手元１６を保持する構造としたが、保持手段の形状、数及び配置は、適宜、選択される。例えば、保持手段は、帯状に形成され、傘１２の中棒１５又は手元１６に巻き付けられて面ファスナー等で固定されるものでもよいし、合成樹脂で円弧状（平面視してＣ字型）に形成され、傘１２の中棒１５又は手元１６が嵌合（挟持）されるものでもよい。
【００２５】
傘装着具１３は、図１及び図３に仮想線で示したように、装着部１８（ここでは、当接部材２０の下端側の両側部）又は傘保持部１４（ここでは、傘保持部１４の高さ方向中央位置の両側部）に背面側送風機３０、３１が取り付けられてもよい。これにより、傘装着具１３に傘１２を取付けて作業を行う際に、使用者１１の周囲の空気を撹拌（循環）させたり、使用者１１の身体に空気を送風したりして、使用者１１が夏場でも快適に作業を行うことが可能となる。なお、背面側送風機の配置（取付け位置及び取付け角度）、数及び大きさは、適宜、選択される。例えば、背面側送風機は、取付け角度を可変（首振り可能）として、必要に応じて送風方向を変更することもできる。背面側送風機としては、扇風機（ファン）又はサーキュレーターが好適に用いられる。
また、装着具付き傘１０は、図１及び図２に仮想線で示したように、傘１２の中棒１５、親骨３２又は受骨（図示せず）のいずれか１以上に頭部側送風機３３が取り付けられてもよい。これにより、装着具付き傘１０を使用して作業を行う際に、使用者１１の上方から送風して、使用者１１の身体（頭等）を効果的に冷やすことができ、使用者１１は夏場でも快適かつ効率的に作業を行うことが可能となり、熱中症対策に役立つ。なお、頭部側送風機の配置（取付け位置及び取付け角度）、数及び大きさは、適宜、選択される。既存の傘に頭部側送風機として扇風機（ファン）又はサーキュレーターを取付ける代わりに、予め扇風機（ファン）が取付けられた扇風機付き傘を用いてもよい。
【００２６】
以上、本考案の実施の形態を説明したが、本考案は、上記した形態に限定されるものでなく、要旨を逸脱しない条件の変更等は全て本考案の適用範囲である。
【符号の説明】
【００２７】
１０：装着具付き傘、１１：使用者、１２：傘、１３：傘装着具、１４：傘保持部、１５：中棒、１６：手元、１８：装着部、１９：水平軸、２０：当接部材、２１：胴ベルト、２２：肩ベルト、２３：長さ調整部、２５：連結部材、２６：長さ調整部、２７：回動連結具、２７ａ：支持片、２７ｂ：回動片、２８：保持手段、３０、３１：背面側送風機、３２：親骨、３３：頭部側送風機
【図１】
0003235171.tif 000003
【図２】
0003235171.tif 000004
【図３】
0003235171.tif 000005